(57)【要約】【課題】ディスクがローディングされてからアンローディングされるまでの間の再生起動時間を不揮発性メモリに記憶されているサーボ調整用パラメータを利用することにより短縮し、かつ、不揮発性メモリに記憶されているサーボ調整用パラメータと不整合が生じるときにサーボ調整が速やかに実行されるディスク再生装置を提供する。【解決手段】ディスク再生起動時に記憶されたディスクサーボ調整用パラメータを用いてサーボ調整を行うディスク再生機器において、光ピックアップから得られる信号レベルと不揮発性メモリに記憶されている信号レベルを比較して光ピックアップから得られる信号レベルが所定値以上減衰しているときは、新たなサーボ調整で得たディスクサーボ調整用パラメータを不揮発性メモリに記憶するように構成した。【選択図】図２
2011018412.tif 000002
【特許請求の範囲】
【請求項１】
ディスク再生起動時に記憶されたディスクサーボ調整用パラメータを用いてサーボ調整を行うディスク再生機器において、光ピックアップから得られる信号レベルと不揮発性メモリに記憶されている信号レベルを比較して光ピックアップから得られる信号レベルが所定値以上減衰しているときは、新たなサーボ調整で得たディスクサーボ調整用パラメータを不揮発性メモリに記憶することを特徴とするディスク再生装置。
【請求項２】
ディスク再生起動時に得て不揮発性メモリに記憶されている信号レベルと比較する信号をフォーカスオン時に得られるＳ字振幅とする請求項１のディスク再生装置。
【請求項３】
前記不揮発性メモリに記憶されて比較される信号レベルのデータを複数個保持した中の所定のデータの平均値とする請求項１または２のディスク再生装置。
【発明の詳細な説明】
【技術分野】
【０００１】
この発明はディスク再生装置に係わり、特に、そのディスクサーボに関する。
【背景技術】
【０００２】
従来のディスク再生装置の例を図３により説明する。このディスク再生装置はディスクドライブ装置６でディスクおよび光ピックアップ１０に対してフォーカシングサーボ、トラッキングサーボおよび回転サーボをかけながら光ピックアップ１０で得た再生データをホスト装置７に出力する。
【０００３】
ホスト装置７はディスクドライブ装置６からの再生データを処理して映像信号または音声信号を出力し、また、ディスクドライブ装置６に電源および起動・停止・ディスクローディング等の制御信号を出力する。
【０００４】
ディスクドライブ装置６のシステムコントローラ８は図示していないスピンドルモータおよび光ピックアップ１０に対してフォーカシングサーボ、トラッキングサーボおよび回転サーボをかけるが、これらのサーボ調整用パラメータはディスクドライブ装置６にディスクをローディングした後の最初のサーボ調整で得たものを不揮発性メモリ９に記憶しておく。
【０００５】
そして、ディスクがアンローディングされない状態で、再び電源が供給されディスク再生が起動されると、不揮発性メモリ９に記憶されているサーボ調整用パラメータを読み出してこれを使用してサーボをかける。このディスク再生の起動方法によると、ディスクローディング後の再生起動ではサーボ調整を行わないため、再生開始のための時間を短縮することができる。
【０００６】
上記した従来のディスク再生装置ではディスクがローディングされたときのディスクに最適であったサーボ調整用パラメータが用いられるが、例えば、ナビゲーション装置の地図データ読み出し装置のように、ディスクドライブ装置にディスクをローディング後、アンローディングしないまま長時間使用する場合には、塵埃等の影響でピックアップの出力信号が劣化することがある。
【０００７】
そして、不揮発性メモリ９に記憶されているサーボ調整用パラメータでは整合がとれなくなることがあり、この場合には、起動できなくなることがあった。
【０００８】
特開２００７−３５１８９号公報に開示されたディスク再生装置は、光ピックアップから得られたＲＦ信号を標準ＲＦ信号や閾値と比較する。そして、比較して得た結果によりレンズクリーニング、ディスククリーニング、ディスク交換や製品の修理を促す。
【０００９】
上記特開２００７−３５１８９号公報に開示されたディスク再生装置は再生開始のときのＲＦ信号が利用されるが、これは、ディスク再生の起動時間を短くするために利用されるものではなかった。
【特許文献１】特開２００７−３５１８９号公報、段落００２３〜段落００３４、図７〜図１０
【発明の概要】
【発明が解決しようとする課題】
【００１０】
この発明は上記した点に鑑みてなされたものであって、その目的とするところは、ディスクがローディングされてからアンローディングされるまでの間の再生起動時間を不揮発性メモリに記憶されているサーボ調整用パラメータを利用することにより短縮し、かつ、不揮発性メモリに記憶されているサーボ調整用パラメータと不整合が生じるときにサーボ調整が速やかに実行されるディスク再生装置を提供することにある。
【課題を解決するための手段】
【００１１】
この発明のディスク再生装置は、ディスク再生起動時に記憶されたディスクサーボ調整用パラメータを用いてサーボ調整を行うディスク再生機器において、光ピックアップから得られる信号レベルと不揮発性メモリに記憶されている信号レベルを比較して光ピックアップから得られる信号レベルが所定値以上減衰しているときは、新たなサーボ調整で得たディスクサーボ調整用パラメータを不揮発性メモリに記憶するものである。
【００１２】
また、前記ディスク再生装置において、ディスク再生起動時に得て不揮発性メモリに記憶されている信号レベルと比較する信号をフォーカスオン時に得られるＳ字振幅とするものである。
【００１３】
また、前記各ディスク再生装置において、前記不揮発性メモリに記憶されて比較される信号レベルのデータを複数個保持した中の所定のデータの平均値とするものである。
【発明の効果】
【００１４】
この発明のディスク再生装置によれば、ディスクがローディングされてからアンローディングされるまでの間の再生起動時間を不揮発性メモリに記憶されているサーボ調整用パラメータを利用することにより短縮し、かつ、不揮発性メモリに記憶されているサーボ調整用パラメータと不整合が生じるときにサーボ調整が速やかに実行される。
【図面の簡単な説明】
【００１５】
【図１】この発明の実施例であるディスク再生装置を示すブロック図である。
【図２】同ディスク再生装置の動作を説明するためのフローチャートである。
【図３】従来のディスク再生装置の例を示すブロック図である。
【発明を実施するための形態】
【００１６】
以下この発明を実施するための形態を実施例に即して説明する。
【実施例１】
【００１７】
図１はこの発明の実施例であるディスク再生装置を示すブロック図である。図１に示すディスク再生装置はディスクドライブ装置１で図示していないスピンドルモータおよび光ピックアップ５に対してフォーカシングサーボ、トラッキングサーボおよび回転サーボをかけながら光ピックアップ５で得た再生データをホスト装置２に出力する。
【００１８】
ホスト装置２はディスクドライブ装置１からの再生データを処理して映像信号または音声信号を出力し、また、ディスクドライブ装置１に電源および起動・停止・ディスクローディング等の制御信号を出力する。
【００１９】
ディスクドライブ装置１のシステムコントローラ３はスピンドルモータおよび光ピックアップ５に対してフォーカシングサーボ、トラッキングサーボおよび回転サーボをかけるが、これらのサーボ調整用パラメータはディスクドライブ装置１にディスクをローディングした後の最初のサーボ調整で得たものを不揮発性メモリ４に記憶しておく。
【００２０】
さらに、光ピックアップ信号のレベルを次回の再生時のレベルと比較するために不揮発性メモリ４に記憶しておく。この例では、フォーカスオフからフォーカスオンになるときに得られるＳ字振幅が記憶される。なお、比較するための光ピックアップ信号としてＳ字振幅の代わりにＲＦエンベロープ、ＡＳ（All Sum エラー信号の全絶対値和信号）ＴＥ（Tracking Error) 等を用いてもよい。また、これらの信号の組み合わせを用いてもよい。
【００２１】
そして、ディスクがアンローディングされない状態で、再び電源が供給されディスク再生が起動されると、フォーカスオフからフォーカスオンになるときにＳ字振幅が得られる。そして、不揮発性メモリ５に記憶されている前回のＳ字振幅と今回得られたＳ字振幅を比較する。
【００２２】
このとき今回のＳ字振幅が前回のＳ字振幅より所定のレベル以上減衰していれば、前回再生から今回の再生の間にディスクまたは光ピックアップの状態が変化しているとして、通常通り一連のサーボ調整行って今回得られたサーボ調整用パラメータを不揮発性メモリに記憶する。
【００２３】
今回のＳ字振幅が前回のＳ字振幅より所定のレベル以上減衰していなければ前回使用したサーボ調整用パラメータはこのディスク再生に整合するものとして不揮発性メモリ５に記憶されているサーボ調整用パラメータを読み出してこれを使用してサーボをかける。
【００２４】
ディスクがローディングされて初回の再生が行われ、ディスクがアンローディングされない状態で２回目以降のシステムコントローラ３によるディスク再生の起動動作を図２のフローチャートにより説明する。
【００２５】
ホスト装置２により、ディスク再生が指示されると、ステップＳ１によりフォーカスオン時のＳ字振幅を今回の光ピックアップ信号のレベルとして取得する。次に、ステップＳ２において、前回再生時に記憶したＳ字振幅を不揮発性メモリ４から読み出す。
【００２６】
次に、ステップＳ３において、今回の光ピックアップ信号のレベル（Ｓ字振幅）が前回再生時の光ピックアップ信号のレベル（Ｓ字振幅）よりも３ｄＢ以上減衰しているか否かを判断し、減衰していなければステップＳ４に移行する。また、減衰していればステップＳ５に移行する。
【００２７】
ステップＳ４では今回の光ピックアップ信号のレベルであるＳ字振幅を不揮発性メモリ４に記憶し、既に前回以前の再生で得られているサーボ調整用パラメータを用いてディスクサーボをかけて起動が完了する。
【００２８】
ステップＳ５では不揮発性メモリ４に記憶している情報を消去してステップＳ６に移行する。ステップＳ６ではサーボ調整を行いこのとき得られたサーボ調整用パラメータおよびＳ字振幅を不揮発性メモリ４に記憶し、このサーボ調整用パラメータを使用してディスクサーボ状態とし起動が完了する。
【００２９】
なお、長時間再生しなかった後にディスクの状態が塵埃の堆積等により劣化したことを判断する基準として、前回再生時の光ピックアップ信号のレベルであるＳ字振幅を用いたが、最新の所定回数のＳ字振幅を記憶してそれらの平均値を用いてもよい。
【００３０】
上記したディスク再生の起動方法によると、ディスクや光ピックアップが劣化していないときは、そのディスクに整合するサーボ調整用パラメータをサーボ調整することなく得られるので高速起動が可能となる。
【００３１】
しかも、長時間経過してディスクや光ピックアップが劣化している場合は、それを直ちに判定してサーボ調整するので整合しないサーボ調整用パラメータでサーボをかけて起動できなくなることが防止される。
【００３２】
上記実施例では、Ｓ字振幅によって全てのサーボパラメータの変更がなされたが、例えば、サーボ調整の内、フォーカスバランス、トラッキングバランス、ＡＳ−ＡＧＣゲイン（ALL-Sum-オートゲインコントロールゲイン）、ＦＥ−ＡＧＣゲイン（フォーカスエラーオートゲインコントロールゲイン）、ＴＥ−ＡＧＣゲイン（トラッキングエラーオートゲインコントロールゲイン）の一部のみを再調整するようにしてもよい。
【００３３】
実施例は以上のように構成されているが発明はこれに限られず、例えば、光ディスク再生装置の代わりにサーボのかけられるフロッピーディスク（登録商標）やＭＯのような磁気ディスク再生装置にこの発明を適用することも可能である。また、サーボを再調整してサーボ調整用パラメータを得るための信号レベル減衰量の閾値を３ｄＢ以外の値に設定してもよい。
【産業上の利用可能性】
【００３４】
この発明のディスク再生装置は、地図データディスク等装置にローディングされたまま長時間使用されるナビゲーション装置に好適に使用できる。
【符号の説明】
【００３５】
１  ディスクドライブ装置
２  ホスト装置
３  システムコントローラ
４  不揮発性メモリ
５  光ピックアップ
６  ディスクドライブ装置
７  ホスト装置
８  システムコントローラ
９  不揮発性メモリ
１０  光ピックアップ
【図１】
2011018412.tif 000003
【図２】
2011018412.tif 000004
【図３】
2011018412.tif 000005